(57)【要約】【課題】基板ケースを閉止した状態で封印シールにより封印する構成において、封印シールを破損しなければケースを開放できないようにする。【解決手段】ケース封印構造は、ケース本体部材およびこれに開閉可能に装着されるケース蓋部材を備えたケースと、ケース本体部材にケース蓋部材を閉止状態で保持する閉止保持手段とを備え、ケース本体部材にケース蓋部材を閉止した状態においてケースに開閉移動方向外面側に開口して開閉移動方向に延びる封印空間が形成され、封印空間内においてケース本体部材に貼り付けられた封印シールと、封印空間内に挿入装着されて封印シールを覆いケース蓋部材に固定されるシール破断手段を備える。そして、ケース本体部材からケース蓋部材を開放するためにケース蓋部材を開放方向に移動させたときに、シール破断手段がケース蓋部材とともに開放方向に相対移動されてケース本体部材に貼り付けられた封印シールに当接してこれを破断する。【選択図】図２２
2011239845.tif 000002
【特許請求の範囲】
【請求項１】
ケース本体部材および前記ケース本体部材に開閉可能に装着されるケース蓋部材を備えたケースと、前記ケース本体部材に前記ケース蓋部材を開閉移動方向における閉止方向に移動させて閉止状態で保持する閉止保持手段とを有して構成され、
前記ケース本体部材に前記ケース蓋部材を閉止した状態において前記ケースに外面側に開口して前記開閉移動方向に延びる封印空間が形成され、前記封印空間内において前記ケース本体部材および前記ケース蓋部材のいずれか一方の部材に貼り付けられた封印シールと、前記封印空間内に前記開口から挿入装着されて前記封印シールを覆い前記ケース本体部材および前記ケース蓋部材の他方の部材に保持されるシール破断手段とを備え、
前記ケース本体部材から前記ケース蓋部材を開放するために前記一方の部材に対して前記他方の部材を開放方向に相対移動させたときに、前記シール破断手段が前記他方の部材とともに開放方向に相対移動されて前記一方の部材に貼り付けられた前記封印シールに当接してこれを破断するように構成されたことを特徴とするケース封印構造。
【請求項２】
前記一方の部材における前記封印空間を形成する部分に、前記封印空間の奥端部において前記開閉移動方向に直角な方向に前記封印空間を広げる封印凹部が形成されており、前記封印シールが前記封印空間の側面から前記封印凹部の内部に延びて貼り付けられ、
前記封印凹部内に入り込む破断突起が先端部に形成され、前記封印空間内に挿入されて前記破断突起が前記封印凹部内に入り込むとともに前記一方の部材に貼り付けられた前記シール部材を覆うように構成されたシールカバー部材と、前記シールカバー部材が前記封印空間内に挿入されて前記破断突起が前記封印凹部内に入り込むとともに前記シール部材を覆った状態で、前記封印空間内において前記シールカバー部材と前記他方の部材との間に形成される空間内に挿入されるとともに前記他方の部材に取り外し不能に装着されて前記破断突起が前記封印凹部内に入り込んだ状態で前記シールカバー部材を保持する係合保持部材とにより前記シール破断手段が構成され、
前記ケース本体部材に前記ケース蓋部材を閉止するとともに前記封印空間内に前記シールカバー部材および前記係合保持部材を取り付けた状態から、前記ケース本体部材から前記ケース蓋部材を開放するために前記一方の部材に対して前記他方の部材を開放方向に相対移動させたときに、前記係合保持部材により保持した前記シールカバー部材を前記他方の部材とともに開放方向に移動させ、前記破断突起を前記一方の部材に貼り付けられた前記封印シールに当接させてこれを破断するように構成されたことを特徴とする請求項１に記載のケース封印構造。
【請求項３】
前記ケース本体部材を前記ケース蓋部材が覆った状態において、前記ケース本体部材に対して前記ケース蓋部材を両者の接合面の延びる方向にスライド移動させて前記開閉移動を行わせるように構成されたことを特徴とする請求項１もしくは２に記載のケース封印構造。
【請求項４】
前記ケース本体部材に対して前記ケース蓋部材を一端側においてヒンジ結合し、前記ケース本体部材に対して前記ケース蓋部材を前記ヒンジ結合部を中心として開閉揺動させることにより前記開閉移動を行わせるように構成されたことを特徴とする請求項１もしくは２に記載のケース封印構造。
【請求項５】
前記封印シールが情報を記憶および読み取り可能なＩＣタグおよび前記ＩＣタグに対する情報の記憶および読み取りを無線により行うためのアンテナ線を有して構成され、前記ケース本体部材から前記ケース蓋部材を開放するときに前記封印シールが破断されることにより少なくとも前記アンテナ線が破断されて前記ＩＣタグに対する無線による情報の記憶および読み取りができないようになっていることを特徴とする請求項１〜４のいずれかに記載のケース封印構造。
【発明の詳細な説明】
【技術分野】
【０００１】
本発明は、遊技機の制御基板等を収容する基板ケース等のケースに対するケース封印構造、さらに詳しくはＩＣタグ封印シールを用いたケース封印構造に関する。
【背景技術】
【０００２】
パチンコ機やスロットマシン等の遊技機では、この遊技機の作動を制御する制御基板が設けられている。例えば、パチンコ機では、外枠に対して開閉可能に組み付けられた前枠裏側の収容枠に遊技盤等が装備され、この遊技盤に制御基板が取り付けられている。スロットマシンにおいても同様に、フロントマスクの裏面側やキャビネットの内側に制御基板が取り付けられている。これらの制御基板は、賞球もしくはメダルの払出制御、電動役物の開閉制御、リールの回転制御、図柄組み合わせの発生確率制御等、パチンコ機もしくはスロットマシンの作動を制御する基板であり、遊技機の制御ソフトウェアが記録されたＲＯＭが搭載され、この遊技機の作動を制御する中枢制御装置としての役割を有している（例えば、特許文献１を参照）。
【０００３】
このような中枢制御装置としての役割を有した制御基板は、偽造ＲＯＭへの差し替え等の不正改造対策として、基板ケース内に収容され、この基板ケースを不正に開放できないようにする不正開放防止手段を設けることが知られている。この不正開放防止手段として、例えば、制御基板をケース本体部材およびケース蓋部材からなる基板ケースに収容し、ケース本体部材に対してケース蓋部材を閉止状態で装着したときに、ケース本体部材の側に形成した係合部とケース蓋部材の側に形成した係合部とを係合させ、ケース蓋部材（もしくはケース本体部材）とその係合部とを繋ぐ連結部をニッパ等の工具を用いて切り離さない限り、ケース本体部材とケース蓋部材とを離間不能とする、所謂カシメ構造が種々提案されて、実用に供されている。
【０００４】
また、遊技機の固有情報や、制御基板の識別情報等を記憶させた無線読み取り可能なＩＣタグを有したＩＣタグ封印シールを用いて基板ケースを内部において封印することも知られている（例えば、特許文献２を参照）。このようにＩＣタグ封印シールを用いると、制御基板を基板ケース内に入れてカシメ構造により閉止保持するだけでなく、ＩＣタグ封印シールにより封印してより確実な不正開放対策が可能となる。さらに、外部からＩＣタグに記憶された情報を読み取って制御基板の識別を行えるという利点もある。
【先行技術文献】
【特許文献】
【０００５】
【特許文献１】特開２００９−１８３７８８号公報
【特許文献２】特開２００９−２６１６４０号公報
【発明の概要】
【発明が解決しようとする課題】
【０００６】
このように封印シール、特にＩＣタグ封印シールは、不正開放対策および種々の情報の記憶・読み取り機能という便利な機能を有するのであるが、これが不正に剥がされて不正に再使用されると基板ケースそのものを不正に交換するような不正改造を却って発見しにくくなるという問題がある。このため、基板ケースを開放するときに封印シールを破損するような構成、すなわち、封印シールを破損しなければ基板ケースを開放することができないような構造が望まれる。
【０００７】
本発明は、このような事情に鑑みてなされたものであり、基板ケース等のケースを閉止した状態で封印シールにより封印する構成において、封印シールを破損しなければケースを開放できないようにしたケース封印構造を提供することを目的とする。
【課題を解決するための手段】
【０００８】
このような目的達成のために、本発明に係るケース封印構造は、ケース本体部材および前記ケース本体部材に開閉可能に装着されるケース蓋部材を備えたケースと、前記ケース本体部材に前記ケース蓋部材を開閉移動方向における閉止方向に移動させて閉止状態で保持する閉止保持手段（例えば、本実施形態における不正開放防止機構９０）とを有して構成され、前記ケース本体部材に前記ケース蓋部材を閉止した状態において前記ケースに外面側に開口して前記開閉移動方向に延びる封印空間が形成され、前記封印空間内において前記ケース本体部材および前記ケース蓋部材のいずれか一方の部材に貼り付けられた封印シールと、前記封印空間内に前記開口から挿入装着されて前記封印シールを覆い前記ケース本体部材および前記ケース蓋部材の他方の部材に保持されるシール破断手段（例えば、本実施形態におけるシール破断部材１２０）を備える。そして、前記ケース本体部材から前記ケース蓋部材を開放するために前記一方の部材に対して前記他方の部材を開放方向に相対移動させたときに、前記シール破断手段が前記他方の部材とともに開放方向に相対移動されて前記一方の部材に貼り付けられた前記封印シールに当接してこれを破断するように構成される。
【０００９】
上記の構成のケース封印構造において、前記一方の部材における前記封印空間を形成する部分に、前記封印空間の奥端部において前記開閉移動方向に直角な方向に前記封印空間を広げる封印凹部（例えば、本実施形態における本体側封印部１５０の底壁部１５４が対向する空間部）が形成されており、前記封印シールが前記封印空間の側面から前記封印凹部の内部に延びて貼り付けられ、さらに、前記封印凹部内に入り込む破断突起が先端部に形成され、前記封印空間内に挿入されて前記破断突起が前記封印凹部内に入り込むとともに前記一方の部材に貼り付けられた前記シール部材を覆うように構成されたシールカバー部材と、前記シールカバー部材が前記封印空間内に挿入されて前記破断突起が前記封印凹部内に入り込むとともに前記シール部材を覆った状態で、前記封印空間内において前記シールカバー部材と前記他方の部材との間に形成される空間内に挿入されるとともに前記他方の部材に取り外し不能に装着されて前記破断突起が前記封印凹部内に入り込んだ状態で前記シールカバー部材を保持する係合保持部材とにより前記シール破断手段が構成され、前記ケース本体部材に前記ケース蓋部材を閉止するとともに前記封印空間内に前記シールカバー部材および前記係合保持部材を取り付けた状態から、前記ケース本体部材から前記ケース蓋部材を開放するために前記一方の部材に対して前記他方の部材を開放方向に相対移動させたときに、前記係合保持部材により保持した前記シールカバー部材を前記他方の部材とともに開放方向に移動させ、前記破断突起を前記一方の部材に貼り付けられた前記封印シールに当接させてこれを破断するように構成されるのが好ましい。
【００１０】
また、上記ケース封印構造において、前記ケース本体部材を前記ケース蓋部材が覆った状態において、前記ケース本体部材に対して前記ケース蓋部材を両者の接合面の延びる方向にスライド移動させて前記開閉移動を行わせるように構成されても良い。
【００１１】
さらに、上記ケース封印構造において、前記ケース本体部材に対して前記ケース蓋部材を一端側においてヒンジ結合し、前記ケース本体部材に対して前記ケース蓋部材を前記ヒンジ結合部を中心として開閉揺動させることにより前記開閉移動を行わせるように構成されても良い。
【００１２】
また、上記ケース封印構造において、前記封印シールが情報を記憶および読み取り可能なＩＣタグおよび前記ＩＣタグに対する情報の記憶および読み取りを無線により行うためのアンテナ線を有して構成され、前記ケース本体部材から前記ケース蓋部材を開放するときに前記封印シールが破断されることにより少なくとも前記アンテナ線が破断されて前記ＩＣタグに対する無線による情報の記憶および読み取りができないようになっていることが好ましい。
【発明の効果】
【００１３】
本発明に係るケース封印構造によれば、封印空間内において前記一方の部材に封印シールが貼り付けられ、シール破断手段が封印空間内に挿入装着されて封印シールを覆って前記他方の部材に固定される構成であり、且つ前記一方の部材に対して前記他方の部材を開放方向に相対移動させてケース本体部材からケース蓋部材を開放するときに、シール破断手段が前記他方の部材とともに開放方向に相対移動されて前記一方の部材に貼り付けられた封印シールに当接してこれを破断するように構成されるので、封印シールを破損することなく基板ケースを開放することができない構造となり、封印シールが不正に再使用されることを防止できる。
【００１４】
なお、この場合において、封印シールが封印空間の側面から封印凹部の内部に延びて貼り付けられ、シールカバー部材が封印空間内に挿入されて破断突起が封印凹部内に入り込むとともにシール部材を覆う状態で係合保持部材により保持されるようにしてシール破断手段を構成することができる。この場合には、ケース本体部材からケース蓋部材を開放するために前記一方の部材に対して前記他方の部材を開放方向に相対移動させたときに、係合保持部材により保持したシールカバー部材を前記他方の部材とともに開放方向に移動させ、その破断突起を前記一方の部材に貼り付けられた封印シールに当接させてこれを破断するように構成され、これにより封印シールを破損することなく基板ケースを開放することができない構成として、封印シールが不正に再使用されることを確実に防止できる。
【００１５】
また、封印シールを無線ＩＣタグを有して構成し、ケース本体部材からケース蓋部材を開放して封印シールが破断されるときに、無線ＩＣタグのアンテナ線が破断されてＩＣタグに対する無線による情報の記憶および読み取りができないように構成するのが好ましく、これにより、封印シールの再使用を確実に防止できる。
【図面の簡単な説明】
【００１６】
【図１】本発明に係るケース封印機構を備えたパチンコ機の正面図である。
【図２】本発明に係るケース封印機構を備えたパチンコ機を構成する遊技盤の背面図である。
【図３】上記遊技盤の斜視図である。
【図４】上記パチンコ機に用いられる主基板アッセンブリであって、本発明に係るケース封印機構を適用した主基板アッセンブリを分解して示す斜視図である。
【図５】上記主基板アッセンブリを構成するケースの係合部を拡大して示す係合作動説明図である。
【図６】上記主基板アッセンブリを構成するケース封印部を取り出して示す斜視図である。
【図７】上記ケース封印部を構成する本体側封印部およびここに貼付されるＩＣタグ封印シールを示す斜視図である。
【図８】上記ＩＣタグ封印シールを示す正面図である。
【図９】上記ケース封印部における本体側封印部を示す斜視図である。
【図１０】上記本体側封印部の平面図および背面断面図である。
【図１１】上記ケース封印部における蓋側封印部を示す斜視図である。
【図１２】上記蓋側封印部を示す底面図である。
【図１３】ケース本体部材にケース蓋部材を取り付けるときの、上記ケース封印部における本体側封印部に対する蓋側封印部の作動を説明する斜視図である。
【図１４】ケース本体部材にケース蓋部材を取り付けるときの、上記ケース封印部における本体側封印部に対する蓋側封印部の作動を説明する斜視図である。
【図１５】ケース本体部材にケース蓋部材を取り付けた状態において、上記ケース封印部における封印空間内にシールカバー部材を挿入して取り付ける作動を説明する斜視図である。
【図１６】上記シールカバー部材を示す斜視図である。
【図１７】上記ケース封印部における封印空間内にシールカバー部材を挿入して取り付ける作動を順を追って説明する断面図であり、図１４の矢印XVII−XVIIに沿った断面図である。
【図１８】上記ケース封印部における封印空間内にシールカバー部材を取り付けた状態での図１４の矢印XVIII−XVIIIに沿った断面図である。
【図１９】上記ケース封印部における封印空間内にシールカバー部材を取り付けた後に、さらにこの封印空間内に係合保持部材を挿入して取り付ける作動を説明する斜視図である。
【図２０】上記係合保持部材を示す斜視図である。
【図２１】上記ケース封印部における封印空間内にシールカバー部材を取り付けた後に、さらにこの封印空間内に係合保持部材を挿入して取り付ける作動を説明する断面図であり、図１９の矢印XXI−XXIに沿った断面図である。
【図２２】ケース本体部材からケース蓋部材を取り外すためにスライド移動させたときに、前記ケース封印部における本体側封印部に対する蓋側封印部の作動、すなわち、破断突起によるＩＣタグ封印シールの破断作動を示す断面図である。
【発明を実施するための形態】
【００１７】
以下、本発明の好ましい実施形態について説明する。まず、本発明に係るケース封印構造を用いる代表例として、パチンコ機ＰＭを図１〜図３を参照して説明する。このパチンコ機の作動を制御する制御基板が本発明に係るケース封印構造を有したケース内に配置される。
【００１８】
パチンコ機ＰＭは、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００１９】
前枠２の前面側上部には、前枠２の上部前面域に合わせた方形状のガラス扉５および球皿ユニット６が正面左側部に設けられたヒンジ機構７ａ，７ｂ，７ｃを利用して横開き開閉および着脱可能に組み付けられ、施錠装置４を利用して常には前枠２の前面を覆う閉鎖状態に保持される。球皿ユニット６の正面右側下部には遊技球の発射操作を行う操作ハンドル８が設けられている。ガラス扉５の背後に位置する前枠上部には、遊技盤１０を着脱可能に収容する収容枠（図示しない）が設けられており、この収容枠に遊技盤１０が着脱可能にセット保持され、常には閉鎖保持されるガラス扉５を通して遊技盤１０の正面の遊技領域ＰＡを臨ませるようになっている。
【００２０】
遊技盤１０は、積層合板の表面に所定意匠のセルを貼り付けた化粧板１１（ベニヤ板とも称される）を基板として構成される。化粧板１１の前面には、内外の案内レール１２が円弧状に固設されてこの案内レール１２で囲まれた内側に略円形の遊技領域ＰＡが区画され、この遊技領域ＰＡに多数本の遊技釘や風車とともに、一般入賞具や始動具並びに大入賞口を備えたアタッカー等の各種入賞具、および遊技の進行状況に応じて所定の図柄を表示させる画像表示装置２３が設けられている。遊技領域ＰＡの下端には、入賞具に入賞せずに遊技領域ＰＡの下端まで落下した遊技球（「アウト球」という）を、遊技盤１０の裏面に排出させるアウト口２４が設けられている。各入賞具に落入した遊技球（「セーフ球」という）は、これらの入賞具に設けられた入賞口スイッチ又は始動口スイッチにより検出され、化粧板１１を貫通するセーフ球通路（図示せず）を通って遊技盤１０の裏面に排出される。また、アウト口２４に集められたアウト球は、化粧板１１を貫通するアウト球通路（図示せず）を通って遊技盤１０の裏面側に排出される。ガラス扉５および遊技盤１０の各部には、遊技展開を視覚的に演出するＬＥＤやランプ等の光源を用いた電飾装置が設けられている。
【００２１】
以上のように構成されるパチンコ機ＰＭは、前枠２、ガラス扉５、および球皿ユニット６がともに閉止され施錠された状態で遊技に供され、球皿ユニット６に遊技球を貯留させて操作ハンドル８を回動操作することにより遊技が開始される。操作ハンドル８が回動操作されると、球皿ユニット６に貯留された遊技球が遊技球発射装置（図示せず）により１球ずつ遊技盤１０の遊技領域ＰＡに打ち出され、以降パチンコゲームが展開される。
【００２２】
遊技盤１０の裏面側には、パチンコ機ＰＭ全体の制御を行う主制御基板が収容された主基板アッセンブリ３０や、画像表示装置２３に表示される画像の制御を行う画像制御基板が収容された画像制御基板アッセンブリ４０が取り付けられている。そこで、図２および図３を参照して、遊技盤１０に取り付けられた主基板アッセンブリ３０および画像制御基板アッセンブリ４０について説明する。ここで、図２は遊技盤１０の背面図であり、図３は遊技盤１０を後方から見た斜視図である。なお、以降の説明においては、説明の便宜上、図２および図３の状態を基準にして、図３に矢印で示すように、その使用状態における前後左右、および、上下を定義して、説明する。
【００２３】
遊技盤１０の中央部には画像表示装置２３を取り付けるための開口部１３が形成されており、この開口部１３を挟むように遊技盤１０の裏面側の左右縁部に画像アッセンブリ取付部１４ａ，１４ｂが配設されている。画像制御基板アッセンブリ４０の左右両側部の上下には合計４個の取付突起部４０ａ，４０ｂが形成されており、この取付突起部４０ａ，４０ｂがネジ締結等で画像アッセンブリ取付部１４ａ，１４ｂに取り付けられて画像制御基板アッセンブリ４０が遊技盤１０に固定される。
【００２４】
また、遊技盤１０の下部における裏面側の左右縁部には、主基板取付部１５ａ，１５ｂが配設されており、この主基板取付部１５ａ，１５ｂに主基板アッセンブリ３０が取り付けられている。なお、主基板取付部１５ａ，１５ｂは、画像アッセンブリ取付部１４ａ，１４ｂよりも後方に突出するように形成されており、主基板アッセンブリ３０の上部が、後面視において、画像制御基板アッセンブリ４０の下部を後方から覆うように遊技盤１０に取り付けられる。このように、主基板アッセンブリ３０が画像制御基板アッセンブリ４０の一部を覆う（後面視において一部が重なる）ように配置することにより、画像制御基板アッセンブリ４０の大型化に対して遊技盤１０の上下方向寸法を大きくすることなく、これらのアッセンブリ３０，４０をこの遊技盤１０の裏面側に配設することができる。
【００２５】
次に主基板アッセンブリ３０について図４および図５を参照して説明する。上述のように、この主基板アッセンブリ３０に本発明に係るケース封印構造が用いられている。なお、主基板アッセンブリ３０の分解斜視構成を図４に示し、図５において主基板アッセンブリ３０を構成する主基板ケースＣＳの閉止方法を示す説明している。
【００２６】
主基板アッセンブリ３０は、パチンコ機ＰＭの作動を統括的に制御する主制御基板３１と、主制御基板３１を内部に収容する主基板ケースＣＳとから構成される。さらに、主基板ケースＣＳは、遊技盤１０の裏面側に着脱されるケース本体部材５０と、このケース本体部材５０に着脱自在に取り付けられるケース蓋部材６０とから構成される。この主基板アッセンブリ３０は、主制御基板３１がケース蓋部材６０の内面側に取り付けられた状態で、このケース蓋部材６０をケース本体部材５０に装着可能に構成される。
【００２７】
主制御基板３１は、図４に示すように、中央部に配置されたＣＰＵ３２や左右に配設された接続コネクタ３３等の電子部品を有して構成される。この主制御基板３１の四隅には、基板取付孔３４が形成されており、基板取付ネジ６１をこの基板取付孔３４に挿入し、ケース蓋部材６０の内面に設けられた基板取付部（図に現れず）に対して螺挿してネジ締結するように構成されている。
【００２８】
ケース本体部材５０は、前面側に開口を有する矩形箱状の形状を有しており、ＡＢＳ樹脂やポリカーボネート（ＰＣ）等の透明な樹脂材料を用いて射出成形等の成形手段により一体的に成形される。このケース本体部材５０の内面側底部５１には、補強リブ５２が縦横に形成されており、ケース本体部材５０の強度を向上させている。
【００２９】
ケース本体部材５０の側壁部（図４においては、底部５１の上下の縁部から後方に延びる側壁部）５３，５３のそれぞれには、複数の蓋部材取付溝５４が形成されている。図５を用いて詳細に説明すると、側壁部５３は、底部５１から後方に延びる第１壁部５３ａと、この第１壁部５３ａより板厚が薄く、第１壁部５３ａからさらに後方に延びる第２壁部５３ｂとからなり、ケース本体部材５０の内面側が段状に形成されている。そして、蓋部材取付溝５４は、第２壁部５３ｂに形成されており、後方およびケース本体部材５０の内面側が開口するように形成されている。なお、この蓋部材取付溝５４は、図５に示すように、後方に開口する挿入溝部５４ａと、後方側の第２壁部材５３から延びて形成された係止部５３ｃと第１壁部５３ａに囲まれた係止溝部５４ｂとから構成される。
【００３０】
ケース蓋部材６０は、ケース本体部材５０の開口を後面側から覆う矩形箱状の形状を有しており、ＡＢＳ樹脂やポリカーボネート（ＰＣ）等の透明な樹脂材料を用いて射出成形等の成形手段により一体的に成形される。このケース蓋部材６０の上下方向縁部に位置する側壁部６５には、外方（図４においては上下方向）に突出する係止突起部６２が複数形成されている。この係止突起部６２は、上述の蓋部材取付溝５４と同じ数だけ形成されており、その配置間隔も蓋部材取付溝５４と対応している。そのため、ケース本体部材５０に対してケース蓋部材６０を取り付けるときは、図５（Ｃ）に示すように、後方側から蓋部材取付溝５４の挿入溝部５４ａに係止突起部６２を挿入し、その後、ケース蓋部材６０を左右方向（この実施例においては右方向）にスライド移動させて係止突起部６２を係止溝部５４ｂに挿入させることで、係止突起部６２と蓋部材取付溝５４とを嵌合させる。そのため、ケース蓋部材６０はケース本体部材５０に対して後方への移動（ケース本体部材５０からケース蓋部材６０を外そうとする移動）が規制される。なお、挿入溝部５４ａに係止突起部６２を挿入すると、ケース蓋部材６０の側壁部６５の下端は、第１壁部５３ａの上端（側壁部５３の段部）に支持される。
【００３１】
このように、主制御基板３１が収容される主基板ケースＣＳを、互いに分離できるケース本体部材５０とケース蓋部材６０とに分けて構成することにより、主制御基板３１をケース蓋部材６０に取り付けるときは、このケース蓋部材６０の開口部を上方に向けて作業机等に載置した状態で行うことができるので、取り付け作業が容易になり組み立ての効率が向上する。また、ケース蓋部材６０をケース本体部材５０に取り付けるときも、スライド移動だけで取り付けることができるので、この作業も容易である。また、このようにケース本体部材５０にケース蓋部材６０をスライドして取り付ける構成にすると、ケース本体部材５０側に蓋部材取付溝５４を形成し、ケース蓋部材６０に係止突起部６２を形成することで取り付け構造ができるため、主基板ケースＣＳの構造を簡単にすることができる。
【００３２】
以上のように、主制御基板３１は、主基板ケースＣＳ（ケース本体部材５０およびケース蓋部材６０）内に格納されているため、主制御基板３１に対する不正行為を防止することができる。しかしながら、上記のようにして、係止突起部６２を係止溝部５４ｂに挿入させてケース本体部材５０に対してケース蓋部材６０を取り付けただけの状態では、ケース本体部材５０からケース蓋部材６０を取り外すことは容易である。そこで、閉止状態にあるケース蓋部材６０をケース本体部材５０に対してスライド移動できなくして、ケース蓋部材６０が不正に開放されるような不正操作を防止するために、主基板アッセンブリ３０には不正開放防止機構９０が設けられている。
【００３３】
この不正防止機構９０は従来から知られている構成であり、種々の構成が用いられているが、本実施形態では、図４に示すように、ケース本体部材５０の左端上部に設けられた本体側係合部９１と、ケース蓋部材６０に連結部９４を介して繋がった蓋側係合部９３と、両係合部９１，９３を結合させるための結合部材９５とから構成される。結合部材９５は蓋側係合部９３の係合凹部（図に現れず）内に挿入され、係合凹部内と係合してここに係合保持される。この状態で、ケース蓋部材６０がケース本体部材５０に対して左に若干ずれた位置で後方からケース本体部材５０を覆うように閉止し、且つ右方向にスライド移動させると、結合部材９５の係合突起が本体側係合部９１の被係合部と係合し、本体側係合部９１と蓋側係合部９３とが取り外し不能に係合する。このとき、図５（Ｃ）に示すように係止突起部６２が係止溝部５４ｂに入り込んだ状態でケース蓋部材６０がケース本体部材５０に対して左右にスライド移動ができなくなり、ケース本体部材５０にケース蓋部材６０が図３に示すように閉止した状態で取り外し不能に保持される。なお、この状態からケース蓋部材７０を開放するには、蓋側係合部９３の連結部９４を切断すれば、ケース蓋部材６０をスライド移動させることができ、これにより係止突起部６２を止溝部５４ｂから外して、ケース蓋部材６０を取り外して開放することができる。
【００３４】
このように構成される不正開放防止機構９０の隣に位置して、本発明を適用したケース封印部１００が設けられており、この構成について、図６〜図２２を参照して以下に詳しく説明する。なお、これらの図を参照する説明を分かりやすくするため、便宜的に図６に示す矢印の方向をそれぞれ前後、左右、上下方向と規定して説明する。これらの方向は図３に示したパチンコ機への取付状態での方向に対応するが、本発明のケース封印構造がこの方向により規定されるものではない。
【００３５】
ケース封印部１００は、ケース本体部材５０に一体に繋がった本体側封印部１５０と、ケース蓋部材６０に一体に繋がった蓋側封印部１６０とを備える。両封印部１５０，１６０は、ケース本体部材５０にケース蓋部材６０が図３に示すように閉止された状態で互いに当接対向するように構成されている。本体側封印部１５０および蓋側封印部１６０はそれぞれケース本体部材５０およびケース蓋部材６０に一体に繋がって構成されるが、図６〜図２２においては、一部の図を除き（図１１、図１７、図２１、図２２では一体に繋がる構成も示している）本体側封印部１５０および蓋側封印部１６０を切り離した状態でこれらのみを取り出して示す。
【００３６】
本体側封印部１５０は、図７、図９および図１０に示すように、後方に開口した全体として矩形板状に形成され、上下端部１５１，１５１と、これら上下端部１５１，１５１を繋ぐ台座部１５２および底壁部１５４とを有し、上下端部１５１，１５１および台座部１５２の間に左右に延びるとともに後方に開放したスライドガイド溝１５３，１５３が形成されている。また、底壁部１５４は、台座部１５２より前方に凹んで一段下がって位置する。台座部１５２には上下方向の中間を左右に延びるシール破壊用溝１５２ｂが形成されており、このシール破壊用溝１５２ｂの上下に後方に対向する同一高さのシール貼付面１５２ａ，１５２ａが形成されている。また、台座部１５２の左端には上下に延びて後方に突出する突起１５２ｃが形成されている。
【００３７】
図７に示すように、台座部１５２のシール貼付面１５２ａ，１５２ａおよび台座部１５２の右端側面（台座部１５２と底壁部１５４とを繋ぐ段部）に亘ってＩＣタグ封印シール１８５が図示のように直角に折り曲げられるようにして接着接合される。この結果、シール破壊用溝１５２ｂはその後面および前面の開口部がこのように貼り付けられたＩＣタグ封印シール１８５により覆われる。ＩＣタグ封印シール１８５は、図８に示すように、矩形シート状のシール部材１８６に、ＩＣタグ１８７およびこれに繋がるアンテナ線１８８を設けて構成される。ＩＣタグ１８７には、パチンコ機ＰＭに関する情報、制御基板５１の識別情報等、種々の情報を記憶した非常に小さな電子素子であり、これに繋がって設けられたアンテナ線１８８を介してケース５５の外部からこれら情報を読み取り可能となっている。なお、シール部材１８６は、破断もしくは切断可能な材料から構成される。
【００３８】
蓋側封印部１６０は、図６、図１１および図１２に示すように、前方および左側方が開口した矩形凹形状の空間を有した封印蓋ボディ１６１がケース蓋部材６０に一体に繋がって構成されている。封印蓋ボディ１６１は、後面壁１６１ａ、上下面壁１６１ｂ，１６１ｂおよび右側面壁１６１ｃを有し、前面および左側面が開放した箱形状をしている。図示されているように、右側面壁１６１ｃは上下面壁１６１ｂ，１６１ｂより前方に突出して形成されている。上下面壁１６１ｂ，１６１ｂの内面（互いに対向する側の面）の前端側に左右に延びてスライドガイド突起１６３，１６３が形成されており、これらスライドガイド突起１６３，１６３は、左側に偏った中間位置に保持開口１６３ｃが形成されて左および右側ガイド突起１６３ａ，１６３ｂに分割されている。また、後面壁１６１ａの内面（前面）の右側に上下に離れて一対の係合凹部１６２，１６２が形成されている。
【００３９】
以上のように構成されるケース封印部１００（すなわち、本体側封印部１５０および蓋側封印部１６０）に関し、ケース本体部材５０にケース蓋部材６０を組み付けるときの作動を、図６、図１３および図１４を参照して説明する。なお、このときには、前もって図６に示すように、台座部１５２のシール貼付面１５２ａ，１５２ａおよび台座部１５２の右端側面に亘ってＩＣタグ封印シール１８５を直角に折り曲げるようにして接着接合しておく。ケース本体部材５０へのケース蓋部材６０の組み付けは、ケース蓋部材６０をケース本体部材５０に対して左に若干ずれた位置で後方からケース本体部材５０を覆うように閉止し、且つ右方向にスライド移動させて行われる。この結果、上述したように、結合部材９５の係合突起が本体側係合部９１の被係合部と係合して本体側係合部９１と蓋側係合部９３とが取り外し不能に係合してスライド移動が不能となり、且つ図５（Ｃ）に示すように係止突起部６２が係止溝部５４ｂに入り込んだ状態となってケース蓋部材６０がケース本体部材５０に閉止した状態で取り外し不能に保持される。
【００４０】
このようにしてケース本体部材５０へのケース蓋部材６０の組み付けを行うときに、ケース封印部１００においては以下のように作動する。まず、ケース蓋部材６０をケース本体部材５０に対して左に若干ずれた位置で後方からケース本体部材５０を覆うように閉止するときに、本体側封印部１５０に対して蓋側封印部１６０が、図６において矢印Ａで示すように前方に移動し、図１３に示すように、蓋側封印部１６０が若干左方向にずれた状態で本体側封印部１５０の上に重なる。このとき、本体側封印部１５０の上下のスライドガイド溝１５３，１５３内に蓋側封印部１６０のスライドガイド突起１６３，１６３が嵌入して左右にスライド移動可能に嵌合した状態となる。
【００４１】
この状態から、ケース蓋部材６０をケース本体部材５０に対して右方向にスライド移動させるのであるが、これにより図１３において矢印Ｂで示すように、蓋側封印部１６０がケース蓋部材６０と一体となって右方向にスライド移動されて、図１４に示すように、本体側封印部１５０とちょうど重なる位置（左端側面が整合する位置）に位置する。この状態で不正防止機構によりケース本体部材５０とケース蓋部材６０とが結合されるのであるが、ケース封印部１００においては、本体側封印部１５０と蓋側封印部１６０により囲まれて左端部において開口する封印空間１１０（図１７等参照）が形成される。
【００４２】
次に、このように形成された封印空間１１０内に、台座部１５２に貼付されたＩＣタグ封印シール１８５を覆うとともにケース蓋部材６０を開放するときにＩＣタグ封印シール１８５を破断するためのシール破断部材１２０が挿入される。シール破断部材１２０は、図１６に示すシールカバー部材１７０と、図２０に示す係合保持部材１７５とから構成され、以下に説明するように、シールカバー部材１７０が最初に封印空間１１０内に挿入され、次に係合保持部材１７５が挿入される。
【００４３】
シールカバー部材１７０は、図１６に示すように、矩形板状のカバー部材ボディ１７１と、このカバー部材ボディ１７１の前面（裏面）の右端近傍の上下に前方に突出して形成された一対の保持突起１７２，１７２と、カバー部材ボディ１７１の前面（裏面）の右端の上下方向中央に前方に突出して形成された破断突起１７３とを有して構成され、カバー部材ボディ１７１の後面（表面）の右端近傍に上下一対の係合凹部１７４，１７４が形成されている。破断突起１７３は先端１７３ａが鋭角状に形成され、後述するように、ケース蓋部材６０を取り外すときに先端１７３ａによりＩＣタグ封印シール１８５を切り裂く刃物的な役割を果たすようになっている。
【００４４】
シールカバー部材１７０は、図１５および図１７（Ａ）に矢印Ｃで示すように、封印空間１１０内に左端開口から挿入される。図１７（Ｂ）に示すように、シールカバー部材１７０が封印空間１１０の奥（右奥）まで挿入されると、上下一対の保持突起１７２，１７２が蓋側封印部１６０の上下一対の保持開口１６３ｃ，１６３ｃと対向する。この状態でシールカバー部材１７０を、図１７（Ｂ）において矢印Ｄで示すように前方側（封印空間１１０の奥部において上記矢印Ｃで示す挿入移動方向に直角な方向）に移動させ、図１７（Ｃ）で示すように、保持突起１７２を保持開口１６３ｃ内に入り込ませる。この結果、シールカバー部材１７０の前面（裏面）が台座部１５２に貼付されたＩＣタグ封印シール１８５を覆うとともに、抜け出すことがないように保持される。
【００４５】
図１７は、図１４の矢印XVII−XVIIに沿ってケース封印部１００を断面して示す図であり、封印空間１１０の上端に近い部分の断面を示すが、封印空間１１０の中央部を矢印XVIII−XVIIIに沿って図１８に示している。この部分においては、シールカバー部材１７０の破断突起１７３が、本体側封印部１５０の台座部１５２に形成されたシール破壊用溝１５２ｂと対向する。なお、台座部１５２にはＩＣタグ封印シール１８５が貼付されてール破壊用溝１５２ｂが覆われているため、破断突起１７３の先端１７３ａがＩＣタグ封印シール１８５を介してシール破壊用溝１５２ｂと近接対向する。
【００４６】
上記のようにシールカバー部材１７０が取り付けられた状態では、図１７（Ｃ）から分かるように、封印空間１１０は部分的にシールカバー部材１７０により塞がれるだけで、シールカバー部材１７０の後面（表面）と蓋側封印部１６０の後面壁１６１ａとの間に空間が残される。このように残された封印空間１１０内に、係合保持部材１７５が左端開口部から、図１９に矢印Ｅで示すように挿入される。
【００４７】
係合保持部材１７５は、右端端部が開口して内部に矩形状の空間（凹部）を有した全体として矩形状の保持部材ボディ１７６と、保持部材ボディ１７６の左端端部において前方に突出する板状のストッパ部１７８とから構成される。保持部材ボディ１７６の前後面を形成する板状部分にはそれぞれ、スリット１７６ａ，１７６ａにより区切られて片持ち状となって右方に延びる係合アーム１７７が上下一対形成されており、これら前後において上下一対で合計４個の係合アーム１７７の先端部には外方に（前面側は前方に、後面側は後方に）突出する係合突起１７７ａがそれぞれ形成されている。各係合アーム１７７はそれぞれ一対のスリット１７６ａ，１７６ａにより区切られて片持ち状であり、それぞれ前後に弾性変形して先端部が揺動可能となっている。
【００４８】
以上のような構成の係合保持部材１７５が、図１９および２１において矢印Ｅで示すように封印空間１１０内に挿入されるときに、前後の係合アーム１７７の先端に形成された係合突起１７７ａの前後寸法が封印空間１１０の前後寸法より大きい設定がなされており、係合アーム１７７を内方に弾性的に撓ませるようにして係合突起１７７ａが封印空間１１０内に押し込まれる。そして、係合保持部材１７５が封印空間１１０内に奥まで挿入されると、図２１（Ｂ）に示すように、係合突起１７７ａが蓋側封印部１６０の係合凹部１６２およびシールカバー部材１７０の係合凹部１７４と対向し、係合アーム１７７の弾性変形が元に戻ってこれら係合凹部１６２，１７４内に入り込む。係合突起１７７ａは図示のように先端側にテーパが設けられて封印空間１１０内にはスムーズに入り込むことができるが、後端側は直角に折れ曲がる段差が形成されており、係合突起１７７ａが係合凹部１６２，１７４内に入り込むと、これを引き出すことができなくなる。この結果、シールカバー部材１７０および係合保持部材１７５（すなわち、シール破断部材１２０）は蓋側封印部１６０に取り外し不能に結合保持される。
【００４９】
以上の説明から分かるように、ケース本体部材５０の上にケース蓋部材６０を図３に示すように閉止させると、不正開放防止機構９０によりケース本体部材５０とケース蓋部材６０とが係合して閉止状態に保持され、この状態でケース封印部１００の左端に開口する封印空間１１０内に上述のようにシールカバー部材１７０および係合保持部材１７５が挿入され、シールカバー部材１７０により台座部１５２に貼付されたＩＣタグ封印シール１８５を覆った状態で、係合保持部材１７５により係合保持されて蓋側封印部１６０に一体結合された状態となる。ここでＩＣタグ封印シール１８５は、ＩＣタグ１８７およびアンテナ線１８８を有しており、本体側封印部１５０および蓋側封印部１６０の内部に保持された状態のままで、アンテナ線１８８を介して無線によりＩＣタグ１８７に記憶された各種情報（例えば、パチンコ機ＰＤに関する情報、制御基板５１の識別情報等）を外部からケース蓋部材６０を開放することなく、読み取り可能である。
【００５０】
次に、以上のようにケース本体部材５０とケース蓋部材６０とが係合して閉止状態に保持された状態からケース蓋部材６０を開放させる場合について説明する。ケース蓋部材６０を開放するには、まず、不正開放防止機構９０におけるケース蓋部材６０と蓋側係合部９３とを繋ぐ連結部９４を切断する。これにより、不正開放防止機構９０における蓋側係合部９３を取り外してその内部に配置した結合部材９５も取り外すことができる。その結果、ケース本体部材５０とケース蓋部材６０との連結は断たれ、且つケース蓋部材６０をケース本体部材５０に対して左側方向にスライド移動させて係止突起部６２を係止溝部５４ｂから外れる位置に移動させ、ケース蓋部材６０をケース本体部材から取り外すことができる。
【００５１】
このようにケース蓋部材６０をケース本体部材５０に対して左側方向にスライド移動させたときに、シールカバー部材１７０の破断突起１７３によりＩＣタグ封印シール１８５が破断されるように構成されており、これについて以下に説明する。図１８に示すように、ケース本体部材５０とケース蓋部材６０とが係合して閉止状態に保持された状態ではシールカバー部材１７０の破断突起１７３の先端１７３ａがＩＣタグ封印シール１８５を介してシール破壊用溝１５２ｂと近接対向しており、この状態からケース蓋部材６０と一緒に蓋側封印部１６０が左に（矢印Ｆ方向に）スライド移動されると、係合保持部材１７５により蓋側封印部１６０にシールカバー部材１７０が保持されているので、シールカバー部材１７０も一体となって左にスライド移動される。
【００５２】
この結果、図２２に示すように、シールカバー部材１７０の破断突起１７３の先端１７３ａがＩＣタグ封印シール１８５を切断しながらシール破壊用溝１５２ｂ内に入り込む。ここで、先端１７３ａは鋭角状に形成されており、これがＩＣタグ封印シール１８５を確実に切り裂いて破断突起１７３がシール破壊用溝１５２ｂ内に入り込む。このように、ケース蓋部材６０をケース本体部材５０に対して左側方向にスライド移動させてケース蓋部材６０をケース本体部材５０から取り外すときに、ＩＣタグ封印シール１８５は破断突起１７３により確実に破断され、その再使用を防止できる。特に、ＩＣタグ封印シール１８５のシール部材１８６を破断すれば、ＩＣタグ１８７そのものを破壊できなくてもアンテナ線１８８を破断することになるため、ＩＣタグ封印シール１８５を再使用できなくすることができる。
【００５３】
なお、以上においてはＩＣタグ１８７およびアンテナ線１８８を備えたＩＣタグ封印シール１８５を用いた例を示したが、これに代えて、ＩＣタグ１８７およびアンテナ線１８８を備えないシート状の封印シールを用いても良い。
【００５４】
また、以上においてケース本体部材５０に対してケース蓋部材６０をスライド移動させてケース蓋部材６０をケース本体部材５０に閉止状態で結合する構成の主基板ケースを用いる例を示したが、ケース本体部材にケース蓋部材がヒンジ係合されて揺動開閉される構成のケースにケース封印部を用いても良い。この場合には、ケース封印部において、ケース封印部を上記の構成での配置位置に対して９０度回転させて配置し、ケース蓋部材を開放する方向の移動により破断突起がＩＣタグ封印シールを破断するように構成されることになる。
【００５５】
以上において、シール破断部材１２０はシールカバー部材１７０および係合保持部材１７５という二つの部材から構成される例を示したが、シール破断部材はこれに限られる物ではなく、一つの部材から構成しても良い。その場合、破断突起を常にボディから外に張り出すように構成するのではなく、内部に収容した構成とし、リンク機構等により張り出し可能な構成とする。そして、シール破断部材を封印空間内に挿入した際に、蓋側封印部に当接されることでリンク機構等の作用により破断突起が外に張り出すような構成とし、このように張り出した破断突起を用いて、ケース蓋部材を開放するときに封印シールを破断するような構成とする。
【００５６】
また、以上においては、本発明のケース封印構造をパチンコ機の制御基板ケースに適用した例を説明したが、本発明のケース封印構造はこれに限られるものではなく、パチンコ機以外の遊技機、例えばスロットマシンの制御基板ケースに適用でき、さらにはその他の種々のケースにも適用できる。
【符号の説明】
【００５７】
ＰＭ  パチンコ機（遊技機）          ＣＳ  主基板ケース
３０  主基板アッセンブリ            ３１  主制御基板
５０  ケース本体部材                ６０  ケース蓋部材
９０  不正開放防止機構
１００  ケース封印部                １１０  封印空間
１２０  シール破断部材              １５０  本体側封印部
１５２  台座部                      １５２ｂ  シール破壊用溝
１６０  蓋側封印部                  １６２  係合凹部
１６３  スライドガイド突起          １７０  シールカバー部材
１７２  保持突起                    １７３  破断突起
１７５  係合保持部材                １７７  係合アーム
１８５  ＩＣタグ封印シール          
【図１】
2011239845.tif 000003
【図４】
2011239845.tif 000004
【図５】
2011239845.tif 000005
【図６】
2011239845.tif 000006
【図７】
2011239845.tif 000007
【図８】
2011239845.tif 000008
【図９】
2011239845.tif 000009
【図１０】
2011239845.tif 000010
【図１１】
2011239845.tif 000011
【図１２】
2011239845.tif 000012
【図１３】
2011239845.tif 000013
【図１４】
2011239845.tif 000014
【図１５】
2011239845.tif 000015
【図１６】
2011239845.tif 000016
【図１７】
2011239845.tif 000017
【図１８】
2011239845.tif 000018
【図１９】
2011239845.tif 000019
【図２０】
2011239845.tif 000020
【図２１】
2011239845.tif 000021
【図２２】
2011239845.tif 000022
【図２】
2011239845.tif 000023
【図３】
2011239845.tif 000024